(57)【要約】【課題】フレームに吊り下げられた宝石類などの被吊り下げ体が揺動可能となるフレームの傾斜角の範囲を広げ易くすることができる装飾用部品を提供する。【解決手段】装飾用部品１は、フレーム４と、フレーム４の正面側から目視可能な被吊り下げ体５と、正面側からみて隠れたフレーム４の裏側に固定されており、被吊り下げ体５を揺動可能に吊り下げる吊り下げ具６とを有する。正面側からフレーム４の表面に接する所定の仮想平面１１が鉛直方向と平行になるときのフレーム４の姿勢を基準姿勢とすると、吊り下げ具６の下方湾曲部６１Ａと被吊り下げ体５の上方湾曲部５４Ａとが基準姿勢において係合する。仮想平面１１から離れるにつれて下方向に向かう下方湾曲部６１Ａの第１下方湾曲部６１１は、仮想平面１１から最下点６２Ａに向かうにつれて曲率半径が小さくなっている。【選択図】図４
2019069137.tif 000002
【特許請求の範囲】
【請求項１】
フレームと、
前記フレームの正面側から目視可能な被吊り下げ体と、
前記正面側からみて隠れた前記フレームの裏側に固定されており、前記被吊り下げ体を揺動可能に吊り下げる吊り下げ具とを有し、
前記正面側から前記フレームの表面に接する所定の仮想平面が鉛直方向と平行になるときの前記フレームの姿勢を基準姿勢とし、
前記吊り下げ具は、前記基準姿勢における下方向に湾曲した下方湾曲部を含み、
前記被吊り下げ体は、前記基準姿勢における上方向に湾曲した上方湾曲部を含み、
前記基準姿勢において前記下方湾曲部と前記上方湾曲部とが係合し、
前記下方湾曲部は、
前記仮想平面から離れるにつれて前記下方向に向かう第１下方湾曲部と、
前記仮想平面から離れるにつれて前記上方向に向かう第２下方湾曲部と
を含み、
前記第１下方湾曲部と前記第２下方湾曲部とが、前記基準姿勢における前記下方湾曲部の最下点で連続的につながっており、
前記第１下方湾曲部は、前記仮想平面側から前記最下点側に向かうにつれて曲率半径が小さくなっている、
装飾用部品。
【請求項２】
前記第１下方湾曲部の少なくとも一部は、前記最下点を通る前記仮想平面の垂線と前記最下点から前記仮想平面へ延びた直線とのなす角度が４５度以内となる範囲の外側に位置する、
請求項１に記載の装飾用部品。
【請求項３】
前記吊り下げ具は、前記下方湾曲部を形成するように曲がった線状部材を含む、
請求項１又は２に記載の装飾部品。
【請求項４】
前記線状部材は、前記フレームの前記裏側に溶接されており、
前記フレームと前記線状部材との溶接箇所は、前記線状部材において前記下方湾曲部を形成する部分に比べて前記仮想平面に近い、
請求項３に記載の装飾用部品。
【請求項５】
前記線状部材は、リング状に曲がっており、２つの端部が前記フレームの前記裏側に溶接されている、
請求項４に記載の装飾用部品。
【請求項６】
前記吊り下げ具は、２つの前記下方湾曲部を含み、
前記被吊り下げ体は、２つの前記上方湾曲部を含み、
前記基準姿勢において、一方の前記下方湾曲部と一方の前記上方湾曲部とが前記最下点で係合可能であるとともに、他方の前記下方湾曲部と他方の前記上方湾曲部とが前記最下点で係合可能であり、
前記基準姿勢において、２つの前記下方湾曲部の前記最下点を結ぶ直線が水平方向に対して平行になる、
請求項１乃至５の何れか一項に記載の装飾用部品。
【請求項７】
２つの前記下方湾曲部は、前記仮想平面に垂直であるとともに前記基準姿勢において鉛直方向と平行になる対称平面に関して対称であり、前記対称平面と平行な平面に沿って湾曲している、
請求項６に記載の装飾用部品。
【請求項８】
前記フレームは、前記正面側からみて前記被吊り下げ体の周囲の少なくとも一部を囲った縁を持ち、
前記フレームの前記縁は、前記フレームの前記裏側において前記仮想平面から離れる方向に突出している、
請求項１乃至７の何れか一項に記載の装飾用部品。
【請求項９】
前記被吊り下げ体は、
板状部分と、
前記板状部分に形成された孔とを含み、
前記孔の内側の湾曲部が前記上方湾曲部として前記下方湾曲部と当接する、
請求項１乃至８の何れか一項に記載の装飾用部品。
【発明の詳細な説明】
【技術分野】
【０００１】
本開示は、様々な物品を装飾する装飾用部品に関するものである。
【背景技術】
【０００２】
宝石の台座が微細に揺動するように構成されたネックレスやピアスなどの身飾品が知られている。例えば下記の特許文献に記載されるペンダントトップは、宝石が装着される台座と、台座が揺動可能に取り付けられたフレームとを備えている。このペンダントトップでは、フレームに固定された２つのリングと台座に固定された２つのリングとが係合し、フレームに対して台座が吊り下げられた状態となる。フレームに吊り下げられた台座が、使用者の動きに応じて微細に揺動することにより、宝石の輝きが強調される。
【先行技術文献】
【特許文献】
【０００３】
【特許文献１】特開２０１３−２２２３３号公報
【発明の概要】
【発明が解決しようとする課題】
【０００４】
図９Ａは、リングを用いて宝石の台座を吊り下げる一般的な構造を示した図である。リング１０１Ａ及び１０１Ｂは、ほぼ合同な円環形状を持っており、ペンダントトップなどのフレームに固定される。リング１０１Ａ及び１０１Ｂは、円環形状の径方向に対して垂直な直線が各々の円環形状の中心を通るように、互いに向かい合って配置される。リング１０２Ａ及び１０２Ｂは、宝石１２０を保持する台座１００の両側部に設けられており、リング１０１Ａ及び１０１Ｂと係合する。リング１０１Ａとリング１０２Ａとが係合部１１０Ａを形成し、リング１０１Ｂとリング１０２Ｂとが係合部１１０Ｂを形成する。この２つの係合部１１０Ａ及び１１０Ｂによって、台座１００が揺動可能に吊り下げられた状態となる。
【０００５】
図９Ａに示す構造によれば、フレームが僅かに動くと台座１００に微細な揺動が発生し、宝石１２０が瞬くように輝く。揺動して輝く宝石１２０は、美観の中心になり易い。そのため、デザイン上の観点では、宝石１２０の正面側からみて係合部１１０Ａ及び１１０Ｂが隠れるように、係合部１１０Ａ及び１１０Ｂをフレームの背後に配置させることが好ましい。
【０００６】
また、宝石１２０の正面側において係合部１１０Ａ及び１１０Ｂが露出していると、正面側から近づく物体が容易に係合部１１０Ａ及び１１０Ｂに接触するため、台座１００の揺動が阻害され易くなる。そのため、揺動機能を保つ観点においても、係合部１１０Ａ及び１１０Ｂの正面側はフレームによって保護されていることが好ましい。
【０００７】
図９Ｂ及び図９Ｃは、図９ＡのＢ−Ｂ線の断面図である。これらの図において、宝石１２０の正面は左側を向いている。図９Ｂ及び図９Ｃに示す構造では、正面側（左側）からみて係合部１１０Ａ及び１１０Ｂが隠れるようにするため、フレーム１５０の裏側（右側）の面にリング１０１Ａ及び１０１Ｂが溶接されている。図９Ｂに示すフレーム１５０の姿勢を基準とすると、図９Ｃに示すフレーム１５０の姿勢はこれよりも正面側の下方向へ傾いた姿勢（前傾姿勢）となっている。
【０００８】
図９Ｂ及び図９Ｃでは、台座１００のリング１０２Ａの揺動範囲を点線で表している。図９Ｂ及び図９Ｃを比較して分るように、リング１０２Ａの揺動範囲とフレーム１５０との距離Ｌは、鉛直方向に対するフレーム１５０の姿勢に応じて変化する。正面側下方向へのフレーム１５０の傾斜角αが大きくなるほど、距離Ｌは短くなる。従って、台座１００の揺動可能な傾斜角αの範囲は、リング１０２Ａの揺動範囲とフレーム１５０との距離Ｌによって制限される。
【０００９】
傾斜角αと距離Ｌとの関係は、フレーム１５０の形状に応じて様々に異なるが、一般的な傾向として、基準の姿勢（図９Ｂ）における距離Ｌが短いほど、台座１００の揺動可能な傾斜角αの範囲は小さくなると考えられる。
【００１０】
距離Ｌを大きくするため、単純には、リング１０１Ａ及び１０１Ｂの円環形状の径を大きくすればよい。しかしながら、リング１０１Ａ及び１０１Ｂの円環形状の内径が大きくなると、内周部分の湾曲が緩やかになり、水平に近くなる。そうすると、この内周部分における台座１００のリング１０２Ａ及び１０２Ｂの係合位置が、鉛直方向の最下点からずれ易くなる。リング１０２Ａ及び１０２Ｂの係合位置が最下点より正面側にずれると、距離Ｌが短くなり、台座１００の揺動可能な傾斜角αの範囲が小さくなってしまうという不利益がある。また、リング１０２Ａ及び１０２Ｂの係合位置がずれることで宝石１２０の位置がずれるため、美観が変化してしまうという不利益もある。
【００１１】
そこで、本開示は、フレームに吊り下げられた宝石類などの被吊り下げ体が揺動可能となるフレームの傾斜角の範囲を広げ易くすることができる装飾用部品を提供することを目的とする。
【課題を解決するための手段】
【００１２】
本開示の１つの側面に係る装飾用部品は、フレームと、前記フレームの正面側から目視可能な被吊り下げ体と、前記正面側からみて隠れた前記フレームの裏側に固定されており、前記被吊り下げ体を揺動可能に吊り下げる吊り下げ具とを有する。前記正面側から前記フレームの表面に接する所定の仮想平面が鉛直方向と平行になるときの前記フレームの姿勢を基準姿勢とすると、前記吊り下げ具は、前記基準姿勢における下方向に湾曲した下方湾曲部を含む。前記被吊り下げ体は、前記基準姿勢における上方向に湾曲した上方湾曲部を含む。前記基準姿勢において、前記下方湾曲部と前記上方湾曲部とが係合する。前記下方湾曲部は、前記仮想平面から離れるにつれて前記下方向に向かう第１下方湾曲部と、前記仮想平面から離れるにつれて前記上方向に向かう第２下方湾曲部とを含む。前記第１下方湾曲部と前記第２下方湾曲部とが、前記基準姿勢における前記下方湾曲部の最下点で連続的につながっている。前記第１下方湾曲部は、前記仮想平面側から前記最下点側に向かうにつれて曲率半径が小さくなっている。
【００１３】
上記の構成を持つ装飾用部品によれば、鉛直方向に対する前記フレームの姿勢が前記基準姿勢に比べて正面側の下方向へ傾斜する姿勢（以下、前傾姿勢と記す。）となった場合、前記下方湾曲部と前記上方湾曲部との係合位置は前記仮想平面側へずれ易くなる。この係合位置のずれは、前記係合位置での前記下方湾曲部の曲率半径が小さいほど抑制される。前記第１下方湾曲部の曲率半径は、前記仮想平面側から前記最下点側に向かうにつれて小さくなっていることから、前記下方湾曲部と前記上方湾曲部との前記係合位置は、前傾姿勢となった場合でも、前記基準姿勢における前記下方湾曲部の最下点の近くに留まり易くなる。これにより、前傾姿勢の傾斜角が大きくなっても、前記フレームと前記被吊り下げ体との離間距離が確保され易くなり、揺動する前記被吊り下げ体が前記フレームに当たり難くなる。従って、前記被吊り下げ体が揺動可能な前傾姿勢の傾斜角の範囲を広げ易くなる。
【００１４】
好適に、前記第１下方湾曲部の少なくとも一部は、前記最下点を通る前記仮想平面の垂線と前記最下点から前記仮想平面へ延びた直線とのなす角度が４５度以内となる範囲の外側に位置してよい。
【００１５】
仮に、前記吊り下げ具を円環形状のリングに置き換えたとする。すなわち、円環形状のリングの内周部分を前記下方湾曲部として前記上方湾曲部に係合させ、前記被吊り下げ体を吊り下げたとする。この場合、前記第１下方湾曲部に対応するリングの内周部分は、前記角度が４５度以内となる前記範囲の内側に含まれる。そのため、上記の構成によれば、円環形状のリングを用いて前記被吊り下げ体を吊り下げる場合に比べて、前記基準姿勢における前記第１下方湾曲部の最上点が前記上方向に位置しており、前記最下点から離れる。これにより、円環形状のリングを用いる場合に比べて、前記最下点から離れた位置で前記吊り下げ具を前記フレームに固定させ易くなる。従って、前記吊り下げ具を前記フレームに固定するための加工（溶接加工など）が、前記最下点付近における前記下方湾曲部と前記上方湾曲部との係合状態に影響を与え難くなる。
【００１６】
好適に、前記吊り下げ具は、前記下方湾曲部を形成するように曲がった線状部材を含んでよい。
この構成によれば、前記線状部材を曲げる簡易な加工によって前記下方湾曲部が形成される。
【００１７】
好適に、前記線状部材は、前記フレームの前記裏側に溶接されていてよい。前記フレームと前記線状部材との溶接箇所は、前記線状部材において前記下方湾曲部を形成する部分に比べて前記仮想平面に近くてよい。
この構成によれば、前記溶接箇所が前記下方湾曲部に比べて前記仮想平面に近いため、前記フレームが比較的単純な形状であっても、前記正面側から前記溶接箇所が見え難くなる。
【００１８】
好適に、前記線状部材はリング状に曲がっていてよい。前記線状部材の２つの端部は、前記フレームの前記裏側に溶接されてよい。
この構成によれば、リング状に曲がった前記線状部材の２つの端部が前記フレームの前記裏側に溶接されるため、前記２つの端部の隙間から前記被吊り下げ体の前記上方湾曲部が外れることがなくなる。
【００１９】
好適に、前記線状部材は、楕円形状に曲がっていてよい。前記楕円形状における長軸の一方端に対応する前記線状部材の湾曲部分は、前記長軸の他方端に対応する前記線状部材の湾曲部分に比べて前記仮想平面から離れた位置にあってよい。前記下方湾曲部は、前記長軸の前記一方端に対応する前記線状部材の湾曲部を含んでよい。
この構成によれば、楕円形状に曲がった前記線状部材を用いることにより、前記下方湾曲部に比べて前記仮想平面に近い位置で、前記線状部材と前記フレームとが溶接される。
【００２０】
好適に、前記吊り下げ具は、２つの前記下方湾曲部を含んでよい。前記被吊り下げ体は、２つの前記上方湾曲部を含んでよい。前記基準姿勢において、一方の前記下方湾曲部と一方の前記上方湾曲部とが前記最下点で係合可能であるとともに、他方の前記下方湾曲部と他方の前記上方湾曲部とが前記最下点で係合可能であってよい。前記基準姿勢において、２つの前記下方湾曲部の前記最下点を結ぶ直線が水平方向に対して平行になってよい。
この構成によれば、前記基準姿勢において、２つの前記下方湾曲部の前記最下点を結ぶ直線を軸として前記被吊り下げ体が揺動可能となる。
【００２１】
好適に、２つの前記下方湾曲部は、前記仮想平面に垂直であるとともに前記基準姿勢において鉛直方向と平行になる対称平面に関して対称であり、前記対称平面と平行な平面に沿って湾曲してよい。
この構成によれば、前記フレームの姿勢が前記前傾姿勢になっても、一方の前記下方湾曲部と一方の前記上方湾曲部との係合位置と、他方の前記下方湾曲部と他方の前記上方湾曲部との係合位置とを結ぶ直線が、水平方向に対して水平になり易くなる。これにより、前記被吊り下げ体が当該直線を軸として安定的に揺動し易くなる。
【００２２】
好適に、前記フレームは、前記正面側からみて前記被吊り下げ体の周囲の少なくとも一部を囲った縁を持ってよい。前記フレームの前記縁は、前記フレームの前記裏側において前記仮想平面から離れる方向に突出していてよい。
この構成によれば、前記フレームの前記縁が前記フレームの前記裏側において前記仮想平面から離れる方向に突出しているため、前記正面側からみて前記上方湾曲部と前記下方湾曲部との係合部分が見え難くなる。
【００２３】
好適に、前記被吊り下げ体は、板状部分と、前記板状部分に形成された孔とを含んでよい。前記孔の内側の湾曲部が、前記上方湾曲部として前記下方湾曲部と当接してよい。
この構成によれば、前記板状部分に形成された前記孔の内側の湾曲部が、前記上方湾曲部として前記下方湾曲部と当接するため、前記上方湾曲部と前記下方湾曲部との当接部分の面積が小さくなり、前記被吊り下げ体の揺動が持続し易くなる。
【発明の効果】
【００２４】
本開示に係る装飾用部品によれば、フレームに吊り下げられた宝石類などの被吊り下げ体が揺動可能となるフレームの傾斜角の範囲を広げ易くすることができる。
【図面の簡単な説明】
【００２５】
【図１】図１Ａ〜図１Ｃは、本実施形態に係る装飾用部品の一例を示す図である。図１Ａは正面図であり、図１Ｂは正面側からみた斜視図であり、図１Ｃは背面側からみた斜視図である。
【図２】図２Ａは、本実施形態に係る装飾用部品を用いたペンダントトップの一例を示す図である。図２Ｂは、本実施形態に係る装飾用部品を用いた眼鏡の一例を示す図である。
【図３】図３は、本実施形態に係る装飾用部品の一例を示す背面図である。
【図４】図４は、Ａ−Ａ線断面図である。
【図５】図５Ａ〜図５Ｂは、鉛直方向に対するフレームの姿勢が異なる場合における台座の板状部分の揺動範囲の例を示した図である。図５Ａは基準姿勢の場合を示し、図５Ｂは前傾姿勢の場合を示す。
【図６】本実施形態に係る装飾用部品の第１の変形例を示す図である。
【図７】本実施形態に係る装飾用部品の第２の変形例を示す図である。
【図８】本実施形態に係る装飾用部品の第３の変形例を示す図である。
【図９】図９Ａは、リングを用いて宝石の台座を吊り下げる一般的な構造を示した図である。図９Ｂ及び図９Ｃは、図９ＡのＢ−Ｂ線断面図である。
【図１０】図１０Ａ〜図１０Ｂは、本実施形態に係る装飾用部品に対する第１の比較例を示す図である。図１０Ａは基準姿勢の場合を示し、図１０Ｂは前傾姿勢の場合を示す。
【図１１】図１１Ａ〜図１１Ｂは、本実施形態に係る装飾用部品に対する第２の比較例を示す図である。図１１Ａは基準姿勢の場合を示し、図１１Ｂは前傾姿勢の場合を示す。
【発明を実施するための形態】
【００２６】
以下、図面を参照しながら本実施形態に係る装飾用部品について説明する。図１Ａ〜図１Ｃは、本実施形態に係る装飾用部品１の一例を示す図である。図１Ａは正面図であり、図１Ｂは正面側からみた斜視図であり、図１Ｃは背面側からみた斜視図である。図２Ａ及び図２Ｂは、図１Ａ〜図１Ｃに示す装飾用部品１を用いて装飾される物品の例を示す図である。図２Ａは装飾用部品１を用いたネックレス等のペンダント２の一例を示し、図２Ｂは装飾用部品１を用いた眼鏡３の一例を示す。
【００２７】
本実施形態に係る装飾用部品１は、様々な物品の装飾に用いられる部品である。例えば装飾用部品１は、身飾品（ネックレス、イヤリング、指輪、カフス、ネクタイピンなど）を構成する部品の１つとして用いられる。図２Ａの例において、装飾用部品１は、ペンダント２を構成する部品の１つである。図２Ａに示すペンダント２では、装飾用部品１の背面側に背面カバー２１が取り付けられている。装飾用部品１と背面カバー２１からなる本体部分には、チェーン２３を留めるためのチェーン留め具２２が取り付けられている。
【００２８】
また、本実施形態に係る装飾用部品１は、身飾品以外の様々な物品（例えば眼鏡、腕時計、印鑑、かばん、財布、文房具、鍵、スマートフォン、オルゴール、置時計、おもちゃ、楽器、運動用具など）の外面に固定し、その外観を装飾するための部品として使用することも可能である。図２Ｂに示す眼鏡３では、レンズが固定される前枠３１の隅に装飾用部品１が取り付けられている。
【００２９】
図３は、図１Ａ〜図１Ｃに示す装飾用部品１の背面図である。図４は、図３におけるＡ−Ａ線断面図である。以下の説明では、装飾用部品１の各部分の相対的な位置関係を表すため、装飾用部品１において互いに垂直な３つの方向「Ｘ」、「Ｙ」、「Ｚ」を規定する。また、Ｘ方向に含まれる互いに逆向きの方向を「Ｘ１」及び「Ｘ２」とし、Ｙ方向に含まれる互いに逆向きの方向を「Ｙ１」及び「Ｙ２」とし、Ｚ方向に含まれる互いに逆向きの方向を「Ｚ１」及び「Ｚ２」とする。Ｙ２側は「正面側」、Ｙ１側は「背面側」とも呼ばれる。Ｚ方向は「縦方向」、Ｘ方向は「横方向」、Ｙ方向は「奥行き方向」とも呼ばれる。
【００３０】
本実施形態に係る装飾用部品１は、図１の例において、フレーム４と、フレーム４の正面側（Ｙ２側）から目視可能な被吊り下げ体５と、正面側からみて隠れたフレーム４の裏側に固定されており、被吊り下げ体５を揺動可能に吊り下げる吊り下げ具６とを有する。被吊り下げ体５は、例えば宝石や装飾用玉などの宝石類５０を含んでおり、フレーム４の僅かな動きに応じて微細に振動する。
【００３１】
＜フレーム４＞
フレーム４は、図１Ａ〜図１Ｃの例において、底部に丸みを帯びた椀型の形状を持っており、底部が正面側（Ｙ２側）、開口部が背面側（Ｙ１側）を向いている。フレーム４は、図１Ａの例において、正面側からみてほぼ円形である。またフレーム４は、横方向からみて、楕円を長軸で切断したような形状を持つ。正面側からみたフレーム４の底部の中央には、被吊り下げ体５の宝石類５０を目視可能とするための開口部４１が形成されている。正面側からみた装飾用部品１は、図１Ａの例において、ドーナツ状のフレーム４の中央に宝石類５０が配されたような外観を呈している。
【００３２】
本実施形態に係る装飾用部品１では、鉛直方向に対するフレーム４の姿勢や、フレーム４の正面側に対する各部分の位置を規定するために、仮想平面１１が設定される。仮想平面１１は、図４の例において、正面側（Ｙ２側）からフレーム４の表面（椀側の形状における底部の外面）に接している。この仮想平面１１が鉛直方向と平行になるときのフレーム４の姿勢を、以下では「基準姿勢」と呼ぶ。Ｚ１方向は、基準姿勢において鉛直上向きの方向（上方向）と一致し、Ｚ２方向は、基準姿勢において鉛直下向きの方向（下方向）と一致する。
【００３３】
フレーム４の開口部４１を形成する縁４２は、図１Ａの例において、正面側からみて被吊り下げ体５の宝石類５０の周囲を囲っている。縁４２は、正面側からみて隠れたフレーム４の裏側において、仮想平面１１から離れる方向（Ｙ１方向）に突出している（図１Ｂ及び図１Ｃ）。Ｙ１方向における縁４２の突出の高さは、概ね均等である。
【００３４】
＜被吊り下げ体５＞
被吊り下げ体５は、宝石類５０を保持する台座５１を含む。台座５１は、円錐台に近いカップ型の容器であり、このカップ型容器の底部には孔５１２が開けられている。台座５１は、宝石類５０のパビリオン部を収容し、パビリオン部の尖端のキューレットを孔５１２から露出させる。宝石類５０のパビリオン部を受け入れる台座５１の開口部の縁には、４つの爪５１１がほぼ等間隔に配置されている。４つの爪５１１は、台座５１に対して宝石類５０が固定されるように、宝石類５０のクラウン部を押さえる。
【００３５】
台座５１の横方向の両側部には、板状部分５２Ａ及び５２Ｂが設けられている。板状部分５２Ａ及び５２Ｂは、基準姿勢において仮想平面１１と概ね平行であり、横方向及び縦方向の幅に比べて奥行き方向の厚みが薄い。板状部分５２Ａ及び５２Ｂには、それぞれ円形の孔５３Ａ及び５３Ｂが形成される。孔５３Ａは板状部分５２ＡをＹ方向に貫通し、孔５３Ｂは板状部分５２ＢをＹ方向に貫通する。孔５３Ａの内側においてＺ１方向（基準姿勢における上方向）に湾曲した部分は上方湾曲部５４Ａと呼ばれ、孔５３Ｂの内側においてＺ１方向に湾曲した部分は上方湾曲部５４Ｂと呼ばれる。上方湾曲部５４Ａは、吊り下げ具６の後述する下方湾曲部６１Ａと係合し、上方湾曲部５４Ｂは、吊り下げ具６の後述する下方湾曲部６１Ｂと係合する。孔５３Ａ及び５３Ｂの内側の湾曲部（上方湾曲部５４Ａ及び５４Ｂ）には、図４の断面図において示すように、湾曲の中心に向かって尖った細い縁が形成されている。
【００３６】
＜吊り下げ具６＞
吊り下げ具６は、図１Ｃの例において、フレーム４の裏側にロウ付けやレーザ加熱などで溶接された２つの線状部材６０Ａ及び６０Ｂを含む。２つの線状部材６０Ａ及び６０Ｂは、それぞれリング状に曲がっており、Ｚ２方向（基準姿勢における下方向）に湾曲した部分が下方湾曲部６１Ａ及び６１Ｂを形成する。線状部材６０Ａ及び６０Ｂの内側の湾曲部（下方湾曲部６１Ａ及び６１Ｂ）には、図３において点線で示すように、湾曲の中心に向かって尖った細い縁が形成されている。
【００３７】
上方湾曲部５４Ａ及び下方湾曲部６１Ａは、それぞれ尖った細い縁であるため、両者の係合部分の面積は小さい。上方湾曲部５４Ｂ及び下方湾曲部６１Ｂの係合部分についても同様である。これにより、上方湾曲部５４Ａ及び下方湾曲部６１Ａの係合部分並び上方湾曲部５４Ｂ及び下方湾曲部６１Ｂの係合部分においてそれぞれ摩擦が小さくなるため、被吊り下げ体５の微細な揺動が持続し易くなる。
【００３８】
基準姿勢における下方湾曲部６１Ａの最もＺ２側の点を「最下点６２Ａ」とし、基準姿勢における下方湾曲部６１Ｂの最もＺ２側の点を「最下点６２Ｂ」とする。図３に示すように、基準姿勢では、下方湾曲部６１Ａと上方湾曲部５４Ａとが最下点６２Ａで係合可能であるとともに、下方湾曲部６１Ｂと上方湾曲部５４Ｂとが最下点６２Ｂで係合可能である。また図３に示すように、２つの最下点６２Ａ及び６２Ｂを結ぶ直線１６は、基準姿勢において水平方向と平行になる。
【００３９】
図３の例において、２つの線状部材６０Ａ及び６０Ｂは、対称平面１２に関して概ね対称な形状を持つ。対称平面１２は、仮想平面１１に垂直であるとともに、基準姿勢において鉛直方向と平行になる平面である。２つの線状部材６０Ａ及び６０Ｂが対称平面１２に関して対称であることから、下方湾曲部６１Ａ及び６１Ｂも対称平面１２に関して対称である。図３の例では、フレーム４及び被吊り下げ体５を含む装飾用部品１の全体が、対称平面１２に関して概ね対称な形状を持つ。下方湾曲部６１Ａ及び６１Ｂは、対称平面１２と平行な平面に沿って湾曲している。
【００４０】
下方湾曲部６１Ａは、図４の例において、仮想平面１１から離れるにつれてＺ２方向（基準姿勢における下方向）に向かう第１下方湾曲部６１１と、仮想平面１１から離れるにつれてＺ１方向（基準姿勢における上方向）に向かう第２下方湾曲部６１２とを含む。第１下方湾曲部６１１及び第２下方湾曲部６１２は、最下点６２Ａにおいて連続的につながっている。
【００４１】
下方湾曲部６１Ａは、線状部材６０ＡにおいてＺ２方向に窪んだ部分であって、その範囲は、接線の方向がＺ方向と平行になる２つの位置Ｐ１及びＰ２によって規定される。下方湾曲部６１Ａのうち、仮想平面１１に近い位置Ｐ１から最下点６２Ａまでの部分が第１下方湾曲部６１１であり、仮想平面１１に遠い位置Ｐ２から最下点６２Ａまでの部分が第２下方湾曲部６１２である。
【００４２】
第１下方湾曲部６１１は、位置Ｐ１から最下点６２Ａまでの範囲において、仮想平面１１から最下点６２Ａに向かうにつれて連続的に（若しくは段階的に）曲率半径が小さくなっている。
【００４３】
また図４の例において、第１下方湾曲部６１１の一部（位置Ｐ１から位置Ｐ３までの範囲）は、最下点６２Ａを通る仮想平面１１の垂線１４と最下点６２Ａから仮想平面１１へ延びた直線１５とのなす角度βが４５度以内となる範囲の外側に位置する。
【００４４】
フレーム４と線状部材６０Ａとの溶接箇所６４は、図４の例において、線状部材６０Ａの下方湾曲部６１Ａを形成する部分（位置Ｐ１から最下点６２Ａまでの部分）に比べて仮想平面１１の近くにある。
【００４５】
線状部材６０Ａは、図４の例において、楕円に近い形状に曲がっている。この楕円形状における長軸の一方端に対応する線状部材６０Ａの湾曲部分６３１は、長軸の他方端に対応する線状部材６０Ａの湾曲部分６３２に比べて仮想平面１１から離れた位置にある。下方湾曲部６１Ａは、仮想平面１１から離れた位置にある湾曲部分６３２を含む。
【００４６】
下方湾曲部６１Ｂは、対称平面１２に関して下方湾曲部６１Ａと対称であるため、下方湾曲部６１Ａと同様な下方湾曲部６１Ｂの細部に関する説明は割愛する。
【００４７】
図５Ａ〜図５Ｂは、鉛直方向に対するフレーム４の姿勢が異なる場合における板状部分５２Ａの揺動範囲の例を示した図である。図５Ａは基準姿勢の場合を示し、図５Ｂは前傾姿勢（正面側が基準姿勢に比べて鉛直下方に傾いた姿勢）の場合を示す。フレーム４が前傾姿勢になると、図５Ｂにおいて示すように、点線で表した台座５１の板状部分５２Ａの揺動範囲がフレーム４の縁４２に近づく。しかしながら、図５Ｂの例では、揺動する板状部分５２Ａがフレーム４の縁４２に当たらないため、被吊り下げ体５は揺動可能な状態にある。
【００４８】
図１０Ａ〜図１０Ｂは、本実施形態に係る装飾用部品１に対する第１の比較例を示す図である。図１０Ａは基準姿勢の場合を示し、図１０Ｂは前傾姿勢の場合を示す。第１の比較例では、装飾用部品１において楕円状に曲げられた線状部材６０Ａが円環形状のリング９０１に置き換えられている。第１の比較例における標準姿勢での板状部分５２Ａの位置は、図４に示す装飾用部品１と同じである。
【００４９】
円環形状のリング９０１は、楕円状に曲げられた線状部材６０Ａに比べて、板状部分５２Ａの上方湾曲部５４Ａと係合する湾曲部分の曲率半径が大きい。そのため、フレーム４が前傾姿勢になると、板状部分５２Ａの位置が正面側へずれ易い。従って、図１０Ｂに示すように、板状部分５２Ａの揺動範囲がフレーム４の縁４２の位置と重なってしまい、被吊り下げ体５は揺動不能な状態となっている。被吊り下げ体５を揺動可能な状態にするためには、フレーム４の傾斜角を小さくする必要がある。
【００５０】
また、図１０Ａ〜図１０Ｂに示す第１の比較例では、リング９０１と上方湾曲部５４Ａとの係合部分が溶接箇所６４に近くなるため、この係合部分が溶接加工の影響を受け易くなる。
【００５１】
図１１Ａ〜図１１Ｂは、本実施形態に係る装飾用部品１に対する第２の比較例を示す図である。図１１Ａは基準姿勢の場合を示し、図１１Ｂは前傾姿勢の場合を示す。第２の比較例では、第１の比較例よりも幅が太くて内径が小さい円環形状のリング９０２が用いられている。第２の比較例における標準姿勢での板状部分５２Ａの位置は、図４に示す装飾用部品１と同じである。
【００５２】
図１１Ａ〜図１１Ｂに示す円環形状のリング９０２において板状部分５２Ａの上方湾曲部５４Ａと係合する湾曲部分は、楕円状に曲げられた線状部材６０Ａとほぼ同じ曲率半径を持つ。そのため、フレーム４が前傾姿勢になっても、図１０Ａ〜図１０Ｂに示す第１の変形例のように、板状部分５２Ａの位置が正面側へずれ難くなり、被吊り下げ体５の揺動可能状態が維持される。しかしながら、リング９０２の幅が非常に太いため、図１１Ａ〜図１１Ｂに示す第２の比較例では、図４に示す装飾用部品１に比べて重量が重くなる。
【００５３】
また、図１１Ａ〜図１１Ｂに示す第２の比較例では、リング９０２と上方湾曲部５４Ａとの係合部分が第１の比較例よりも溶接箇所６４に近くなるため、この係合部分が溶接加工の影響を更に受け易くなる。
【００５４】
（まとめ）
本実施形態に係る装飾用部品１によれば、鉛直方向に対するフレーム４の姿勢が基準姿勢に比べて前傾姿勢となった場合、下方湾曲部（６１Ａ，６１Ｂ）と上方湾曲部（５４Ａ，５４Ｂ）との係合位置は仮想平面１１側へずれ易くなる。この係合位置のずれは、係合位置での下方湾曲部（６１Ａ，６１Ｂ）の曲率半径が小さいほど抑制される。第１下方湾曲部６１１の曲率半径は、仮想平面１１側から最下点（６２Ａ，６２Ｂ）側に向かうにつれて小さくなっていることから、下方湾曲部（６１Ａ，６１Ｂ）と上方湾曲部（５４Ａ，５４Ｂ）との係合位置は、前傾姿勢となった場合でも、基準姿勢における下方湾曲部（６１Ａ，６１Ｂ）の最下点（６２Ａ，６２Ｂ）の近くに留まり易くなる。これにより、前傾姿勢の傾斜角が大きくなっても、フレーム４と被吊り下げ体５との離間距離が確保され易くなり、揺動する被吊り下げ体５がフレーム４に当たり難くなる。従って、被吊り下げ体５が揺動可能な前傾姿勢の傾斜角の範囲を広げ易くなる。
【００５５】
本実施形態に係る装飾用部品１では、最下点（６４Ａ，６４Ｂ）を通る仮想平面１１の垂線１４と、最下点（６４Ａ，６４Ｂ）から仮想平面１１へ延びた直線１５とのなす角度β（図４）が４５度以内となる範囲の外側に、第１下方湾曲部６１１の少なくとも一部が位置している。仮に、第１の比較例（図１０Ａ〜図１０Ｂ）や第２の比較例（図１１Ａ〜図１１Ｂ）のように、吊り下げ具６を円環形状のリング（９０１，９０２）に置き換えたとすると、装飾用部品１の第１下方湾曲部６１１に対応するリング（９０１，９０２）の内周部分は、角度βが４５度以内となる範囲の内側に含まれることになる。そのため、円環形状のリング（９０１，９０２）を用いて被吊り下げ体５を吊り下げる場合に比べて、本実施形態に係る装飾用部品１では、基準姿勢における第１下方湾曲部６１１の最上点（図４の位置Ｐ１）がＺ１側（基準姿勢での上方向）へずれた場所に位置しており、最下点（６４Ａ，６４Ｂ）から離れている。これにより、円環形状のリング（９０１，９０２）を用いる場合に比べて、最下点（６４Ａ，６４Ｂ）から離れた位置で吊り下げ具６をフレーム４に固定させ易くなる。従って、吊り下げ具６をフレーム４に固定するための加工（溶接加工など）が、最下点（６４Ａ，６４Ｂ）付近における下方湾曲部（６１Ａ，６１Ｂ）と上方湾曲部（５４Ａ，５４Ｂ）との係合状態に影響を与え難くなる。
【００５６】
本実施形態に係る装飾用部品１では、溶接箇所６４が下方湾曲部（６１Ａ，６１Ｂ）に比べて仮想平面１１に近いため、フレーム４が比較的単純な形状であっても、正面側から溶接箇所６４が見え難くなる。
【００５７】
本実施形態に係る装飾用部品１によれば、楕円形状に曲がった線状部材（６０Ａ，６０Ｂ）を用いることにより、下方湾曲部（６１Ａ，６１Ｂ）に比べて仮想平面１１に近い位置で線状部材（６０Ａ，６０Ｂ）とフレーム４とが溶接される。従って、様々なフレーム４の形状に合わせて、下方湾曲部（６１Ａ，６１Ｂ）と上方湾曲部（５４Ａ，５４Ｂ）との係合位置を適切な範囲に設定することが可能となる。
【００５８】
本実施形態に係る装飾用部品１によれば、フレーム４の縁４２がフレーム４の裏側において仮想平面１１から離れる方向に突出しているため、正面側からみて下方湾曲部（６１Ａ，６１Ｂ）と上方湾曲部（５４Ａ，５４Ｂ）との係合部分が見え難くなる。これにより、美観が向上するとともに、正面側からの物体によって揺動機能が阻害され難くなる。
【００５９】
次に、本実施形態に係る装飾用部品１の変形例について、図６〜図８を参照して説明する。
【００６０】
図６は、本実施形態に係る装飾用部品１の第１の変形例を示す図である。図６に示す装飾用部品１Ａは、図４に示す装飾用部品１における線状部材６０Ａを線状部材６０Ａ−１に置き換えたものである。線状部材６０Ａ−１は、線状部材６０Ａに比べて、フレーム４との溶接箇所６４がＺ１側に移動している。また、線状部材６０Ａ−１の２つの端部６０１及び６０２は、溶接箇所６４においてそれぞれフレーム４の裏側に溶接されている。
【００６１】
第１の変形例によれば、２つの端部６０１及び６０２がフレーム４の裏側にそれぞれ溶接されるため、２つの端部６０１及び６０２の隙間から被吊り下げ体５の上方湾曲部（５４Ａ，５４Ｂ）が外れることがなくなる。また、第１の変形例によれば、線状部材６０Ａ−１をフレーム４に固定する工程と、２つの端部６０１及び６０２の隙間を塞ぐ工程とを１つの溶接工程で行うことが可能になるため、これらを別の工程で行う場合に比べて製造が簡易になる。
【００６２】
図７は、本実施形態に係る装飾用部品１の第２の変形例を示す図である。図７に示す装飾用部品１Ｂは、図４に示す装飾用部品１における線状部材６０Ａを線状部材６０Ａ−２に置き換えたものである。線状部材６０Ａ−２は、横方向からみて数字の「６」に似た形状に曲がっている。第２の変形例のように、吊り下げ具６を構成する線状部材はリングと異なる形状に曲がっていてもよい。
【００６３】
図８は、本実施形態に係る装飾用部品１の第３の変形例を示す図である。図８に示す装飾用部品１Ｃは、図４に示す装飾用部品１における線状部材６０Ａを線状部材６０Ａ−３に置き換えたものである。線状部材６０Ａ−３は、全体的にみると円環形状に近いが、第１下方湾曲部６１１に対応する湾曲部分は円環形状と異なる曲率を持つ。すなわち、第１下方湾曲部６１１は、仮想平面１１から最下点６２Ａに向かうにつれて連続的に（若しくは段階的に）曲率半径が小さくなっている。第１下方湾曲部６１１は、角度β（図４）が４５度以内となる範囲に含まれている。このような第３の変形例においても、図４に示す装飾用部品１と同様に、被吊り下げ体５が揺動可能な前傾姿勢の傾斜角の範囲を広げ易くなる。
【００６４】
以上、本発明の一実施形態について説明したが、本発明は上述した実施形態に限定されるものではなく、種々のバリエーションを含んでいる。
【００６５】
本実施形態における被吊り下げ体は宝石類を含むものに限られない。例えば、被吊り下げ体は、揺動に応じて光の反射が変化する宝石以外の種々の部材（ガラス、鏡面など）を含んでもよい。
【００６６】
上述した実施形態では、下方湾曲部と上方湾曲部との係合部分が２つ存在する場合を例示したが、下方湾曲部と上方湾曲部との係合部分は１つのみでもよいし、３以上でもよい。
【符号の説明】
【００６７】
１…装飾用部品、４…フレーム、４１…開口部、４２…縁、５…被吊り下げ体、５０…宝石類、５１…台座、５１１…爪、５１２…孔、５２Ａ，５２Ｂ…板状部分、５３Ａ，５３Ｂ…孔、５４Ａ，５４Ｂ…上方湾曲部、６…吊り下げ具、６０Ａ，６０Ａ−１，６０Ａ−２，６０Ａ−３，６０Ｂ…線状部材、６０１，６０２…端部、６１Ａ，６１Ｂ…下方湾曲部、６１１…第１下方湾曲部、６１２…第２下方湾曲部、６２Ａ，６２Ｂ…最下点、６４…溶接箇所、２…ペンダント、２１…背面カバー、２２…チェーン留め具、２３…チェーン、３…眼鏡、３１…前枠、１１…仮想平面、１２…対称平面
【図１】
2019069137.tif 000003
【図２】
2019069137.tif 000004
【図３】
2019069137.tif 000005
【図４】
2019069137.tif 000006
【図５】
2019069137.tif 000007
【図６】
2019069137.tif 000008
【図７】
2019069137.tif 000009
【図８】
2019069137.tif 000010
【図９】
2019069137.tif 000011
【図１０】
2019069137.tif 000012
【図１１】
2019069137.tif 000013